(57)【要約】【課題】フラットパネル型表示装置、特に液晶表示装置のバックライト部を固定するために設けられるべき固定部の数を少なくしたフレームを提供する。【解決手段】フレーム１４の上部分と下部分とは、折り曲げることができる屈曲部１４５ａ，１４５ｂで繋がっており、上部分における表示面の長辺であって屈曲部１４５ａ，１４５ｂに繋がる辺を含む側面とは反対側の側面には、２つのフック部１４１ａ，１４１ｂが設けられ、フレーム１４の下部分における上記辺に含む側面とは反対側の側面には、爪状の２つの突起部１４２ａ，１４２ｂが設けられている。フレーム１４の上部分とその下部分とはこれらのフック部が突起部に強く掛止されることにより、バックライト部１２を挟んで固定する。ここで、屈曲部１４５ａ，１４５ｂ近傍の側面には固定部であるフック部および突起部が不要なので、この固定部の数を少なくすることができる。【選択図】図１
2007065532.tif 000002
【特許請求の範囲】
【請求項１】
画像を表示する長方形状の表示部を有するフラットパネル型表示装置における前記表示部の外周近傍に設けられるフレームであって、
前記表示部の各辺に沿った辺を含む側面を有する上部分と、
前記上部分に含まれる前記側面と略同一平面に配置可能な側面を有する下部分と、
前記上部分における前記側面の或る１つの辺近傍と、前記下部分における前記側面の或る１つの辺近傍とを接続する屈曲可能な屈曲部と
を備え、
前記上部分は、前記屈曲部近傍の側面を除く側面の１つ以上に第１の固定手段を含み、
前記下部分は、前記屈曲部近傍の側面を除く側面の１つ以上に第２の固定手段を含み、
前記第１および第２の固定手段は、前記上部分に含まれる前記側面と前記下部分に含まれる前記側面とが略同一平面に配置されるとき、解除可能に互いに固定されることを特徴とする、フレーム。
【請求項２】
前記第１および第２の固定手段は、前記屈曲部近傍の側面に平行な側面にのみ含まれることを特徴とする、請求項１に記載のフレーム。
【請求項３】
前記第１および第２の固定手段の一方は、突起部であり、
前記第１および第２の固定手段の他方は、前記突起部に掛止可能なフック部であることを特徴とする、請求項１または請求項２に記載のフレーム。
【請求項４】
前記第１および第２の固定手段の一方は、凸部であり、
前記第１および第２の固定手段の他方は、前記凸部に嵌合可能な凹部または開口部であることを特徴とする、請求項１または請求項２に記載のフレーム。
【請求項５】
前記上部分、前記下部分、および前記屈曲部は、一体的に樹脂成型されまたは金属加工されることにより作製されることを特徴とする、請求項１に記載のフレーム。
【請求項６】
前記フラットパネル型表示装置はバックライト部を含む液晶表示装置であって、
前記上部分および前記下部分は、前記第１および第２の固定手段が互いに固定されることにより、前記バックライト部を挟み込むように固定することを特徴とする、請求項１に記載のフレーム。
【請求項７】
請求項１から請求項６までのいずれか１項に記載のフレームを備えることを特徴とする、フラットパネル型表示装置。
【発明の詳細な説明】
【技術分野】
【０００１】
本発明は、フラットパネル型表示装置のフレームに関し、更に詳しくは、液晶表示装置のバックライト部などを支持するためのフレームに関する。
【背景技術】
【０００２】
近年、テレビや、パソコン、携帯電話などの表示装置として、ＣＲＴ（Ｃａｔｈｏｄｅ−Ｒａｙ  Ｔｕｂｅ）型表示装置に代わり、液晶表示装置（ＬＣＤ：Ｌｉｑｕｉｄ  Ｃｒｙｓｔａｌ  Ｄｉｓｐｌａｙ）が広く普及している。この液晶表示装置の構造について、特にそのフレームに着目し、図２を参照して以下に説明する。
【０００３】
図２は、従来の液晶表示装置の概略的な構成を示す斜視図である。この液晶表示装置は、ＴＦＴ（Ｔｈｉｎ  Ｆｉｌｍ  Ｔｒａｎｓｉｓｔｏｒ）基板およびＣＦ（Ｃｏｌｏｒ  Ｆｉｌｔｅｒ）基板からなる液晶パネル９１１と、光源９２２を含む各種光学部材からなるバックライト部９１２と、バックライト部９１２を両面方向から挟み込むように支持するための上フレーム９１３および下フレーム９１４とを備える。
【０００４】
液晶パネル９１１は、バックライト部９１２に含まれる光源９２２から与えられる光の透過量を画素毎に制御することにより各種表示を行う。なお、この表示のための信号は、外部の制御部から液晶パネル９１１の図中右側に取り付けられているＦＰＣ（Ｆｌｅｘｉｂｌｅ  Ｐｒｉｎｔｅｄ  Ｃｉｒｃｕｉｔ）基板９１０を介して与えられる。また、この液晶パネル９１１の両面には偏光板が貼り付けられている。
【０００５】
バックライト部９１２は、照明面から面状に光を放つ導光板と、この導光板の表面側（照明面側）に配置されたレンズシートや光拡散シート等からなるレンズシート類と、上記導光板の裏面側（表示面の反対側）に貼り付けられる反射シートとを備えている。そして、導光板の端部には冷陰極蛍光管（ＣＣＦＴ：Ｃｏｌｄ  Ｃａｔｈｏｄｅ  Ｆｌｕｏｒｅｓｃｅｎｔ  Ｔｕｂｅ）からなる光源９２２が設けられている。なお、この光源９２２は白色の発光ダイオード（ＬＥＤ：Ｌｉｇｈｔ Ｅｍｉｔｔｉｎｇ Ｄｉｏｄｅ）などであってもよい。この光源９２２からの光は導光板の所定の光入射面から入射された後、導光板全体に拡散されることにより所定面（照明面）から面状に放射される。このバックライト部９１２からの光の光量が、液晶パネル９１１において表示される画素毎に適宜調節されることにより、液晶表示装置の表示面に各種表示がなされる。
【０００６】
上フレーム９１３および下フレーム９１４は、板状の金属または樹脂からなり、上記液晶パネル９１１およびバックライト部９１２を所定位置に支持するとともに、これらを外部からの衝撃などから保護している。
【０００７】
すなわち、上記液晶パネル９１１は、図の上方から上フレーム９１３にはめ込まれるとともに、上フレーム９１３の接触面上に貼り付けられた遮光両面テープにより固定されている。また、バックライト部９１２は、上フレーム９１３および下フレーム９１４の間に挟み込まれることにより固定されている。この上フレーム９１３には、表示面の短辺を含む側面に１つのフック部（例えば図中のフック部９３１ｃ）がそれぞれ設けられており、その長辺に相当する側面に２つのフック部（例えば図中のフック部９３１ａ，９３１ｂ）がそれぞれ設けられている。また、下フレーム９１４には、これらのフック部に開口された孔と嵌合可能な爪状の突起部９３２ａ〜９３２ｃを含む６つの突起が設けられている。上フレーム９１３および下フレーム９１４は、これらのフック部が突起部に強く掛止されることにより、バックライト部９１２をしっかりと挟んで固定する。このように、フック部を突起部に掛止することにより固定する構成がとられるのは、バックライト部９１２をしっかりと固定しつつ、後にバックライト部９１２の修理や部品交換が必要になったときには弾性を有するフック部を突起部から離すことによりその固定状態を容易に解除することができるからである。
【０００８】
上記液晶パネル９１１およびバックライト部９１２は、この上フレーム９１３にはめ込まれるとともに、上フレーム９１３の接触面上に貼り付けられた遮光両面テープにより固定されている。なお、この上フレーム９１３の表示面側の周縁部には、装置の外枠を構成する図示されないベゼルが設けられる。
【０００９】
一般的にこれら上フレーム９１３および下フレーム９１４は、樹脂製である場合には、まずこれら上フレーム９１３および下フレーム９１４の形状に相当する形状を有するオス側の金型（「コア」とも呼ばれる）とメス側の金型（「キャビティ」とも呼ばれる）とを作製し、これらの金型を取り付けた成型機によって、加熱された素材となる樹脂を射出成型しまたは圧縮成型することにより作製される。また、板状の金属である場合には、上フレーム９１３および下フレーム９１４は、液晶パネル９１１の表示面に対応する開口部分を型抜き（せん断）しかつ所定の形状になるよう曲げるための板金用金型を取り付けたプレス機およびステージによって、素材となる板金を加工することにより作製される。なお、下フレーム９１４にも上記開口部に相当する開口部が設けられるのが通常であるが、省略されてもよい。
【００１０】
また、従来より、液晶パネルにおける入出射光用の見切板に適した液晶表示パネル固定用枠がある（特許文献２を参照）。この従来の固定用枠は、枠本体およびこれに軸支されたカバーからなり、これらの間に液晶パネルが挟み込まれると上記カバーが入出射光用の見切板として機能する位置に固定される。このことにより、液晶パネルに見切り板を取り付ける工程を簡略化することができる。
【特許文献１】特開２００４−１７９２０７号公報
【特許文献２】特開平１１−２１８７４４号公報
【発明の開示】
【発明が解決しようとする課題】
【００１１】
しかし、上記特許文献２に記載される従来の液晶表示パネル固定用枠は、（図２に示す従来の上フレーム９１３および下フレーム９１４とは異なり）箱状の形状ではないので、バックライト部９１２を収納し固定することはできず、また液晶パネルを挟み込むことにより固定した後に再び取りはずすことを容易にするための構成もない。
【００１２】
この点、図２に示す従来の上フレーム９１３および下フレーム９１４は、バックライト部９１２を内部に収納可能な箱状の形状であり、その側面に設けられたフック部および突起部が強く掛止されることにより内部に収納されたバックライト部９１２を固定することができる。また、上フレーム９１３に設けられたフック部の端部を下フレーム９１４の側面から引き離すように持ち上げることによりフック部と突起部との掛止状態を容易に解除することができるので、上フレーム９１３および下フレーム９１４を分離してバックライト部９１２を容易に取り出すことができる。
【００１３】
もっとも、装置外部からの衝撃等によりフック部と突起部との掛止状態が容易に解除されないよう、フック部と突起部とは強く掛止されなければならない。このことから、フック部は、強い力を加えなければ掛止状態が解除されるのに十分な弾性変形を生じることがないように構成されているのが一般的である。したがって、バックライト部９１２を取り出す際にはフック部に強い力を加えなければならないことから、作業者が誤ってフック部にその弾性限界点を超える力を加えたり誤った方向へ強い力を加えてしまうことがあり、その場合にフック部がその機能を失いまたは破壊されてしまうことがある。このことはフック部および突起部により上フレーム９１３および下フレーム９１４を固定する構造についてのみ生じるわけではなく、その他の構造、例えばかしめ等により固定する場合でも疲労破壊や修復不可能な変形などによりその機能が失われてしまうことがある。したがって、上フレーム９１３および下フレーム９１４を固定するフック部および突起部などの構造（以下「固定部」という）は、できるだけ数が少ない方がその機能が失われる可能性を小さくすることができ、かつバックライト部９１２を収納しまたは取り出す際の作業を容易にすることができる点で好ましい。
【００１４】
しかし、図２に示す従来の上フレーム９１３および下フレーム９１４は、その長方形状の４辺がほぼ均等な力でバックライト部９１２を挟み込み、かつ互いにずれないようしっかりと固定するため、各辺に対応する側面にそれぞれ１つ以上の（ここでは合計６つの）フック部および突起部が設けられている。よって、これらのフック部および突起部の全てを解除しなければならないので、バックライト部９１２を取り出す際の作業が煩雑となり、またこの作業によってフック部および突起部などの固定部の機能が失われる可能性が高くなる。
【００１５】
そこで、本発明では、フラットパネル型表示装置、特に液晶表示装置のバックライト部を固定するために設けられるべき固定部の数を少なくしたフラットパネル型表示装置のフレーム、特に液晶表示装置のバックライト部を支持するためのフレームを提供することを目的とする。
【課題を解決するための手段】
【００１６】
第１の発明は、画像を表示する長方形状の表示部を有するフラットパネル型表示装置における前記表示部の外周近傍に設けられるフレームであって、
前記表示部の各辺に沿った辺を含む側面を有する上部分と、
前記上部分に含まれる前記側面と略同一平面に配置可能な側面を有する下部分と、
前記上部分における前記側面の或る１つの辺近傍と、前記下部分における前記側面の或る１つの辺近傍とを接続する屈曲可能な屈曲部と
を備え、
前記上部分は、前記屈曲部近傍の側面を除く側面の１つ以上に第１の固定手段を含み、
前記下部分は、前記屈曲部近傍の側面を除く側面の１つ以上に第２の固定手段を含み、
前記第１および第２の固定手段は、前記上部分に含まれる前記側面と前記下部分に含まれる前記側面とが略同一平面に配置されるとき、解除可能に互いに固定されることを特徴とする。
【００１７】
第２の発明は、第１の発明において、
前記第１および第２の固定手段は、前記屈曲部近傍の側面に平行な側面にのみ含まれることを特徴とする。
【００１８】
第３の発明は、第１または第２の発明において、
前記第１および第２の固定手段の一方は、突起部であり、
前記第１および第２の固定手段の他方は、前記突起部に掛止可能なフック部であることを特徴とする。
【００１９】
第４の発明は、第１または第２の発明において、
前記第１および第２の固定手段の一方は、凸部であり、
前記第１および第２の固定手段の他方は、前記凸部に嵌合可能な凹部または開口部であることを特徴とする。
【００２０】
第５の発明は、第１の発明において、
前記上部分、前記下部分、および前記屈曲部は、一体的に樹脂成型されまたは金属加工されることにより作製されることを特徴とする。
【００２１】
第６の発明は、第１の発明において、
前記フラットパネル型表示装置はバックライト部を含む液晶表示装置であって、
前記上部分および前記下部分は、前記第１および第２の固定手段が互いに固定されることにより、前記バックライト部を挟み込むように固定することを特徴とする。
【００２２】
第７の発明は、第１から第６までの発明のいずれか１つに記載のフレームを備えることを特徴とする、フラットパネル型表示装置である。
【発明の効果】
【００２３】
第１の発明によれば、上部分における或る１つの辺近傍と、下部分における或る１つの辺近傍とが屈曲可能な屈曲部で接続されているため、この屈曲部近傍の側面を除く側面に設けられる１組以上の第１および第２の固定手段により、フレームの上半分と下半分とをしっかりと固定することができる。よって、少なくとも屈曲部近傍の側面に固定手段を設ける必要がないので、固定手段の数を少なくしたフラットパネル型表示装置のフレーム、例えば液晶表示装置のバックライト部を支持するためのフレームを提供することができる。このように固定手段の数を少なくすることにより、破損や修復不可能な変形などにより固定手段の機能が失われてしまう可能性を小さくすることができ、かつフレーム内に収納される対象物、例えばバックライト部を収納しまたは取り出す際の作業を容易にすることができる。
【００２４】
第２の発明によれば、第１および第２の固定手段が屈曲部近傍の側面に平行な側面にのみ含まれるので、屈曲部により接続される辺近傍（を含む側面）と、第１および第２の固定手段が設けられている側面とで、フレームの上半分と下半分とをしっかりと固定することができる。
【００２５】
第３の発明によれば、突起部に例えば開口部を有するようなフック部を掛止する構成により、フレームの上半分と下半分とをしっかりと固定することができるとともに、容易に固定状態を解除することができる。
【００２６】
第４の発明によれば、例えば突起部のような凸部に凹部を嵌合させる構成により、フレームの上半分と下半分とをしっかりと固定することができるとともに、容易に固定状態を解除することができる。
【００２７】
第５の発明によれば、フレームの上部分、下部分、および屈曲部が一体的に樹脂成型されまたは金属加工されることにより作製されるので、また、フレームの上半分と下半分とを接続する製作工程が不要となることから、その手間を削減し、かつ当該工程で生じやすいフレームの破損や製作ミスなどを回避することができる。さらに、フレームを樹脂成型する場合には金型を１種類だけ作製すれば足りるので、金型を作製する手間とコストを削減することができる。
【００２８】
第６の発明によれば、固定手段の数を少なくすることにより、破損や修復不可能な変形などにより固定手段の機能が失われてしまう可能性を小さくすることができ、かつフレーム内に収納されるバックライト部を収納しまたは取り出す際の作業を容易にすることができる。
【００２９】
第７の発明によれば、第１から第６までの発明における効果を奏するフレームを備えるフラットパネル型表示装置を提供することができる。
【発明を実施するための最良の形態】
【００３０】
以下、本発明の一実施形態について添付図面を参照して説明する。
本実施形態に係る液晶表示装置およびこれに用いられるフレームの構造につき、図１を参照して説明する。図１は、本実施形態に係る液晶表示装置およびそのフレームの構造を説明するための斜視図である。なお、図の左側には、フレームを閉じて固定する前の液晶表示装置が示され、図の右側には、フレームを閉じて固定した後の液晶表示装置が示されている。
【００３１】
本液晶表示装置は、そのフレームを除き、図２に示す従来の液晶表示装置と同一の形状および機能を有している。すなわち、本液晶表示装置は、図２に示すＦＰＣ基板９１０を含む液晶パネル９１１と同一の形状および機能を有するＦＰＣ基板１０を含む液晶パネル１１と、図２に示す光源９２２を含むバックライト部９１２と同一の形状および機能を有する図示されない光源を含むバックライト部１２と、図２に示す上フレーム９１３および下フレーム９１４とを合わせた形状に類似する一体型のフレーム１４とを備える。したがって、液晶パネル１１およびバックライト部１２の詳しい説明は省略する。
【００３２】
フレーム１４は、例えばポリカーボネート等の樹脂からなり、所定の金型を取り付けた成型機によって加熱された素材となる樹脂を射出成型しまたは圧縮成型することにより一体的に作製される。このように、フレーム１４を一体的に作製することにより、上記金型を１種類だけ作製すれば足りるので、金型を作製する手間とコストを削減することができる。また、フレームの上半分と下半分とを接続する製作工程が不要となることから、その手間を削減し、かつ当該工程で生じやすいフレームの破損や製作ミスなどを回避することができる。なお、フレーム１４は、その他の真空成型など周知の樹脂成型方法により作製されてもよい。また、フレーム１４は、板状の金属であってもよい。この場合には、素材となる板金を型抜き（せん断）しかつ所定の形状になるよう曲げるための板金用金型を取り付けたプレス機およびステージによって、素材となる板金を加工することにより一体的に作製される。なお、その他周知の金属加工方法により作製されてもよい。
【００３３】
図１に示されるように、フレーム１４は、図２に示す従来の上フレーム９１３に相当する部分（以下「フレーム１４の上部分」という）とその下フレーム９１４に相当する部分（以下「フレーム１４の下部分」という）とを含んでおり、これら２つの部分は屈曲部１４５ａ，１４５ｂで繋がっている。この屈曲部１４５ａ，１４５ｂはフレーム１４のその他の部分に比べて薄く形成されており、ほぼ二つ折り状態になるまで折り曲げる（ここでは弾性変形させる）ことができる。なお、屈曲部１４５ａ，１４５ｂの折り曲げ可能な角度は、バックライト部１２を収納または取り出すことができれば特に限定はなく、また屈曲部１４５ａ，１４５ｂが破壊されない限り、塑性変形させる構成であってもよい。さらに、屈曲部１４５ａ，１４５ｂは、蝶番構造など、バックライト部１２を収納しまたは取り出すために折り曲げることができる周知の構造であってもよい。さらにまた、屈曲部１４５ａ，１４５ｂは、図１に示されるようにフレーム１４の上部分の１辺とその下部分の１辺とを接続しているが、これらの辺以外の部分であって当該辺近傍の所定部分を互いに接続してもよい。
【００３４】
また、フレーム１４の上部分における表示面の長辺であって屈曲部１４５ａ，１４５ｂに繋がる辺を含む側面とは反対側の側面には、２つのフック部１４１ａ，１４１ｂが設けられている。また、フレーム１４の下部分における上記辺を含む側面とは反対側の側面には、これらのフック部に開口された孔と嵌合可能な爪状の２つの突起部１４２ａ，１４２ｂが設けられている。フレーム１４の上部分とその下部分とは、これらのフック部が突起部に強く掛止されることにより、バックライト部１２をしっかりと挟んで固定する。なお、上記フック部は突起部に掛止可能な形状であればよく、例えばフック部の上記孔が上記突起部に相当する凸部に嵌合可能な凹部であってもよいし、フック部の形状がかぎ状であってもよい。このように、フック部を突起部に掛止することにより固定する構成がとられるのは、前述したように、後にバックライト部９１２の修理や部品交換が必要になったときに弾性を有するフック部を突起部から離すことによりその固定を容易に解除することができるようにするためである。特に、光源として冷陰極蛍光管（ＣＣＦＴ）が使用される場合、装置の製造から使用不能になるまでにこの光源は何度か交換されることが通常予定されるため、上記のように固定を容易に解除することができる構造でなければならない。
【００３５】
なお、フレーム１４の上部分および下部分を固定するための構造（固定部）は、上記フック部および突起部のほか、例えばかしめ等により固定するなど、繰り返し（典型的には少なくとも数回程度の）固定とその解除とを行うことができる周知の構造であればよい。もっとも、この固定部は、固定された（閉じられた）フレーム１４の上部分および下部分を離すように開ける方向、すなわち当該側面にほぼ沿った方向へ加えられる力に対して十分に抗することができるように、すなわち固定が解除されないように、フレーム１４の側面に沿って設けられなければならない。
【００３６】
ここで、本液晶表示装置のフレーム１４は、図２に示す上フレーム９１３および下フレーム９１４とは異なり、フック部とこれに対応する突起部が２組しか設けられていない。これはフレーム１４における屈曲部１４５ａ，１４５ｂが設けられている側面には当然にフック部および突起部は必要なく、また屈曲部１４５ａ，１４５ｂによって、表示面の長辺に沿った方向へフレーム１４の上部分と下部分との位置関係にずれが生じにくくなっていることから、表示面の短辺を含む側面にフック部および突起部を設ける必要がないかその必要性が小さくなっているからである。もちろん、この表示面の短辺を含む側面にフック部および突起部が設けられてもよいが、その場合であっても屈曲部１４５ａ，１４５ｂが設けられている側面にフック部および突起部が必要ないことは同様である。よって、このような構成により、本液晶表示装置のバックライト部１２を固定するために設けられるべきフレーム１４におけるフック部および突起部などの固定部の数を少なくすることができる。
【００３７】
また、２つのフック部１４１ａ，１４１ｂおよび２つの突起部１４２ａ，１４２ｂのうち、いずれか１組を省略することも可能である。この場合には、１組のフック部および突起部によりフレーム１４の上部分と下部分とをしっかりと固定することができなければならない。この点、２つのフック部１４１ａ，１４１ｂおよび２つの突起部１４２ａ，１４２ｂを表示面の長辺であって屈曲部１４５ａ，１４５ｂを含む辺とは反対側の辺の両端部近傍に設けることにより、フレーム１４の上部分および下部分の長方形状の４辺がほぼ均等な力でバックライト部１２を挟み込むので好適である。
【００３８】
以上のように、本液晶表示装置は、フレーム１４の下部分に対して、まずバックライト部１２を図の上方向から下方向へ嵌め込み、次に液晶パネル１１をフレーム１４の上部分に（遮光両面テープなどを介して）嵌め込み、その後図の右側に示すように、フレーム１４の上部分と下部分とを合わせるように閉じてフック部１４１ａ，１４１ｂと突起部１４２ａ，１４２ｂとをそれぞれ掛止させる。このことにより、バックライト部１２はフレーム１４の内部に、すなわちフレーム１４の上部分と下部分との間に挟み込まれるように固定される。その後、光源等の交換が必要になったときには、フック部１４１ａ，１４１ｂと突起部１４２ａ，１４２ｂとの掛止状態を解除し、図の左側に示すようにフレーム１４の上部分と下部分とを離すように開けてバックライト部１２を取り出す。
【００３９】
このように、本液晶表示装置のフレーム１４は、その上部分と下部分とが屈曲部１４５ａ，１４５ｂで繋がっているため、フック部１４１ａ，１４１ｂおよび突起部１４２ａ，１４２ｂを表示面の長辺であって屈曲部１４５ａ，１４５ｂに繋がる長辺とは反対側の長辺の両端部近傍に設けるだけでしっかりと固定することができる。よって、バックライト部１２を固定するために設けられるべき固定部の数を少なくしたフラットパネル型表示装置のフレーム、特に液晶表示装置のバックライト部を支持するためのフレームを提供することができる。このように固定部の数を少なくすることにより、破損や修復不可能な変形などにより固定部の機能が失われてしまう可能性を小さくすることができ、かつバックライト部１２を収納しまたは取り出す際の作業を容易にすることができる。
【図面の簡単な説明】
【００４０】
【図１】本実施形態に係る液晶表示装置およびそのフレームの構造を説明するための斜視図である。
【図２】従来の液晶表示装置およびそのフレームの構造を説明するための斜視図である。
【符号の説明】
【００４１】
１０    …ＦＰＣ基板
１１    …液晶パネル
１２    …バックライト部
１４    …フレーム
１４１ａ，１４１ｂ  …フック部
１４２ａ，１４２ｂ  …突起部
１４５ａ，１４５ｂ  …屈曲部
【図１】
2007065532.tif 000003
【図２】
2007065532.tif 000004